(57)【要約】【課題】階段の蹴込板を踏板裏面の蹴込板嵌合溝に嵌合した状態で接着剤により固定する際に、接着剤が該蹴込板嵌合溝から溢れ出すことを防止しつつ、十分な固定強度および安定性を与え、歩行時の踏み鳴りも生じないような新規な階段の蹴込板およびその固定構造を提供する。【解決手段】階段の踏板３の裏面３２に形成される蹴込板嵌合溝５にその上端部が嵌合される蹴込板２Ａであって、蹴込板嵌合溝に嵌合される上端木口には長手方向に延長する木口側凹溝４が形成され、その裏面２３には長手方向に延長する裏面側凹溝８が形成される。木口側凹溝に沿って接着剤６が塗布された蹴込板を蹴込板嵌合溝に嵌合させることにより、蹴込板の上端部が蹴込板嵌合溝内で接着固定される。さらに、裏面側凹溝から打ち込まれた固定具９により蹴込板が踏板に固定される。【選択図】図５
2012188844.tif 000002
【特許請求の範囲】
【請求項１】
階段の踏板の裏面に形成される蹴込板嵌合溝にその上端部が嵌合される蹴込板であって、該蹴込板嵌合溝に嵌合される上端木口には長手方向に延長する木口側凹溝が形成されることを特徴とする階段の蹴込板。
【請求項２】
さらに、蹴込板嵌合溝に嵌合されたときに裏面側となる一側面に長手方向に延長する裏面側凹溝が形成されることを特徴とする、請求項１記載の階段の蹴込板。
【請求項３】
階段の踏板の裏面に形成される蹴込板嵌合溝に蹴込板を固定する蹴込板の固定構造であって、蹴込板の上端木口には長手方向に延長する木口側凹溝が形成されており、この木口側凹溝に沿って接着剤が塗布された蹴込板を蹴込板嵌合溝に嵌合させることにより、蹴込板の上端部が蹴込板嵌合溝内で接着固定されることを特徴とする蹴込板の固定構造。
【請求項４】
さらに、蹴込板嵌合溝に嵌合されたときに裏面側となる蹴込板の一側面に長手方向に延長する裏面側凹溝が形成されており、この裏面側凹溝から打ち込まれた固定具により蹴込板が踏板に固定されることを特徴とする、請求項３記載の蹴込板の固定構造。
【発明の詳細な説明】
【技術分野】
【０００１】
本発明は、階段の蹴込板およびその固定構造に関する。
【背景技術】
【０００２】
側板と、踏板と、蹴込板とを有して構成される階段の施工は次の順序で行われるのが一般的であった。
１  側板を壁面に固定する。
２  階段の踏板を、側板に形成した踏板嵌合溝に嵌入させて、楔を打ち込んで側板に固定する。
３  蹴込板の上端木口に接着剤を塗布する。
４  蹴込板の左右端部を側板の蹴込板嵌合溝に嵌入させると共に、蹴込板上端を踏板裏面の蹴込板嵌合溝に嵌入させる。
５  蹴込板を、側板と踏板のそれぞれに木ネジなどの固定具で固定する。
【０００３】
しかしながら、このような施工による蹴込板と踏板の固定構造では、以下の問題点が指摘されていた。
【０００４】
すなわち、上記３の接着剤塗布工程において、特にウレタン系接着剤のように粘度の高い接着剤を使用した場合、接着剤が途中で接着面から離れてしまい、接着面に対し接着剤が塗布されている塗布面と塗布されていない非塗布面とが生じ、また、塗布面においても塗布量の多い箇所と塗布量の少ない箇所とが生じてしまうことがあった。
【０００５】
非塗布面や塗布量の少ない箇所では、上記４で蹴込板上端を踏板裏面の蹴込板嵌合溝に嵌入させても、蹴込板と踏板との間で固着されない箇所ができてしまい、この非固着箇所で蹴込板と踏板とが擦れ合って歩行時に踏み鳴りが起きる原因となっていた。
【０００６】
また、接着剤塗布量が多すぎると、上記４の工程で蹴込板Ａ上端を踏板Ｂ裏面の蹴込板嵌合溝Ｃに嵌入させたときに、接着剤Ｄが該蹴込板嵌合溝から溢れ出てしまい、そのまま放置しておくと溢れ出した接着剤が固化して美観を損ねることがあった（図７参照）。このため、溢れ出た接着剤を拭き取って除去しなければならず、このための作業手間がかかっていた。接着剤の溢れ出しを防止するために接着剤の塗布量を少量にすると、蹴込板と踏板との間の固定強度が低下し、上記と同様に歩行時に踏み鳴りが生じてしまう。
【０００７】
また、別の問題点として、上記５の固定工程において木ネジなどの固定具Ｅを蹴込板Ａの裏面側から踏板Ｂに向けて斜めに打ち込もうとしたときに、固定具Ｅの先端が蹴込板Ａの裏面側を滑ってしまって、固定具Ｅが所定の位置と角度で蹴込板Ａに入り込まないことがあった。この場合、固定具Ｅは、踏板Ｂの蹴込板嵌合溝Ｃと蹴込板Ａの裏面との間に打ち込まれ、固定具Ｅの本来の打ち込み位置や角度がその分だけ上方にずれることになり、固定具Ｅが踏板Ｂを突き抜けてその先端が踏板Ｂの表面側に突出したり（図８参照）、踏板Ｂの表面に膨れを生じさせることがあった。さらに、固定具Ｅが蹴込板嵌合溝Ｃの入口や、蹴込板Ａの上端部を破壊して、蹴込板Ａと踏板Ｂとの固定が強固に行われなくなることがあった。
【０００８】
前者の問題点の改善策として、特許文献１では、蹴込板の上端部に先細形状となるように傾斜面を形成すると共に、踏板裏面の蹴込板嵌合溝の内面を該傾斜面に対応させた傾斜面とし、これら傾斜面同士を接合させた状態で蹴込板上端部を踏板裏面の蹴込板嵌合溝に嵌入させて、蹴込板の裏面側上端部と該蹴込板嵌合溝の後方の内壁面とを接着剤で固定するようにしている。これによれば、接着剤が溢れ出したとしても、蹴込板の裏面側に出るだけであって表面側からは見えないので、外観を損ねることがない。
【０００９】
また、後者の問題点の改善策として、特許文献２では、踏板裏面の蹴込板嵌合溝の後方に連続するように凹み部を形成して、該凹み部から踏板裏面までを傾斜面とすることにより、蹴込板の嵌合状態を該傾斜面を介して確認できると共に、釘打ちに際して釘の頭部が凹み部に納まるようにすることができるので、踏板が邪魔にならずに容易に釘打ち作業を行うことができるものとされている。
【先行技術文献】
【特許文献】
【００１０】
【特許文献１】特許第３２８７８２３号公報
【特許文献２】実願平４−６００８４号（実開平６−２０７０３号）のＣＤ−ＲＯＭ
【発明の概要】
【発明が解決しようとする課題】
【００１１】
しかしながら、特許文献１記載の従来技術によると、蹴込板の裏面側上端部に溢れ出した接着剤は、外観を損ねることにはならないとしても、前記５の固定工程において木ネジなどの固定具を蹴込板の裏面側上端部から打ち込む際の打ち込み箇所が固化した接着剤によって分かりにくくなり、固定具先端の位置決めが特定できないという新たな問題点が生じる。
【００１２】
また、蹴込板の裏面側上端部と蹴込板嵌合溝の後方の内壁面との接合面で接着することのみで蹴込板が蹴込板嵌合溝内に固定されるので、固定強度が不十分になる恐れがあると共に、該接合面以外の部分、たとえば蹴込板の表面側上端部と蹴込板嵌合溝の前方の内壁面との間には接着剤が入り込むことができないため隙間が形成され、歩行時にこれらが擦れて踏み鳴りが発生することがあった。
【００１３】
一方、特許文献２記載の従来技術によると、踏板裏面の蹴込板嵌合溝の後方に連続して凹み部が形成されるので、蹴込板の裏面側上端部を支えることができず、固定強度および安定性が不十分となる。また、この凹み部は固定具の固定箇所を目視し得るように十分な大きさに形成されるので、踏板の強度を低下させる。さらに、前記５の固定工程において固定具を蹴込板の裏面側上端部から打ち込む際の打ち込み角度が定まらず、図８を参照して既述したように、固定具が踏板を突き抜けてその先端が踏板表面側に突出したり、踏板の表面に膨れを生じさせるなどの不具合を生じさせることがあった。特にこの従来技術では凹み部内から釘打ちを行うため、釘打ち深さが浅くなってしまい、打ち込み角度が少しでもずれるとこのような不具合が生じる可能性が大きい。
【００１４】
したがって、本発明が課題とするところは、このような従来技術の不利欠点を解消して、階段の蹴込板を踏板裏面の蹴込板嵌合溝に嵌合した状態で接着剤により固定する際に、接着剤が該蹴込板嵌合溝から溢れ出すことを防止しつつ、十分な固定強度および安定性を与え、歩行時の踏み鳴りも生じないような新規な階段の蹴込板およびその固定構造を提供することである。
【課題を解決するための手段】
【００１５】
この課題を解決するため、請求項１に係る本発明は、階段の踏板の裏面に形成される蹴込板嵌合溝にその上端部が嵌合される蹴込板であって、該蹴込板嵌合溝に嵌合される上端木口には長手方向に延長する木口側凹溝が形成されることを特徴とする。
【００１６】
請求項２に係る本発明は、さらに、蹴込板嵌合溝に嵌合されたときに裏面側となる一側面に長手方向に延長する裏面側凹溝が形成されることを特徴とする。
【００１７】
請求項３に係る本発明は、階段の踏板の裏面に形成される蹴込板嵌合溝に蹴込板を固定する蹴込板の固定構造であって、蹴込板の上端木口には長手方向に延長する木口側凹溝が形成されており、この木口側凹溝に沿って接着剤が塗布された蹴込板を蹴込板嵌合溝に嵌合させることにより、蹴込板の上端部が蹴込板嵌合溝内で接着固定されることを特徴とする。
【００１８】
請求項４に係る本発明は、さらに、蹴込板嵌合溝に嵌合されたときに裏面側となる蹴込板の一側面に長手方向に延長する裏面側凹溝が形成されており、この裏面側凹溝から打ち込まれた固定具により蹴込板が踏板に固定されることを特徴とする。
【発明の効果】
【００１９】
請求項１に係る本発明によれば、蹴込板の上端木口に木口側凹溝が長手方向に延長して形成されているので、蹴込板の上端木口に接着剤を塗布する際に、この木口側凹溝に沿って接着剤を直線的に塗布することができるので、接着剤の塗布作業を容易に行うことができる。接着剤は一般にチューブに入っているものを押し出しながら塗布していくが、このとき、接着剤の粘度が高い場合であっても、木口側凹溝の入口の２点または底面を含めた３点で接着剤が塗布面と接することになるので、接着剤が途切れることがなく、接着剤をムラなく均一に塗布することができる。
【００２０】
また、木口側凹溝に沿って塗布された接着剤は、蹴込板上端部を蹴込板嵌合溝の奥部に突き当たるまで挿入したときに、蹴込板上端木口と蹴込板嵌合溝の溝底面との間に介在されると共に、その一部が蹴込板上端部の表裏両側に溢れ出して、蹴込板上端部の表面側と蹴込板嵌合溝の前方内壁面との間ならびに蹴込板上端部の裏面側と蹴込板嵌合溝の後方内壁面との間に入り込んで隙間なく接着剤が塗布されることになる。したがって、蹴込板上端部は三面で強固に蹴込板嵌合溝内に接着固定され、歩行時にこれらの間に摩擦が生じて踏み鳴りを発生させるようなことがない。
【００２１】
さらに、接着剤の塗布量が誤って多くなってしまっても、過剰分の接着剤が木口側凹溝に収容されるので、蹴込板嵌合溝から蹴込板上端部の表裏面への溢れ出しを防止することができる。木口側凹溝に収容された接着剤は該凹溝内で固化するので、接着剤固化後の状態において木口側凹溝が空間として残されることはなく、しかも蹴込板上端木口と蹴込板嵌合溝の溝底面との間の接着面積が該木口側凹部の分だけ大きくなるので、強固な固定状態が得られる。
【００２２】
請求項２に係る本発明によれば、蹴込板の上端部を踏板裏面の蹴込板嵌合溝に嵌合させた状態で固定具で固定しようとする際に、裏面側凹溝の内部に固定具の先端を当てて安定した状態で打ち込むことができるので、作業性が向上する。このとき、打ち込み位置や角度が大きくずれることが防止されるので、従来技術による場合のように固定具が踏板を突き抜けてその先端が踏板表面側に突出したり、踏板の表面に膨れを生じさせるなどの不具合を生じさせることがない。
【００２３】
さらに、裏面側凹溝から固定具を打ち込んでいくので、打ち込みの際に固定具が蹴込板の裏面を滑ってしまって踏板裏面の蹴込板嵌合溝に入り込むようなこともない。したがって、蹴込板嵌合溝の入口や蹴込板の先端を破損させることなく、固定具による固定作業を行うことができる。
【００２４】
請求項３に係る本発明によれば、蹴込板嵌合溝に嵌合された蹴込板上端部の表裏側面および木口面が蹴込板嵌合溝の前後内壁面および溝底面にそれぞれ隙間なく密接した状態、且つ、木口側凹溝の内部にも隙間なく接着剤が入り込んだ状態で接着固定されるので、強固な固定構造が得られ、歩行時の踏み鳴りの発生を防止することができる。
【００２５】
請求項４に係る本発明によれば、裏面側凹溝から固定具を打ち込んで蹴込板を踏板に固定するので、打ち込みの際の固定具の位置ずれや角度ずれ、あるいは滑りなどを防止して作業性を良好にしつつ、より強固な固定構造が得られ、蹴込板嵌合溝の入口や蹴込板の先端を破損させることもない。
【図面の簡単な説明】
【００２６】
【図１】本発明が適用される階段構造の一例を示す斜視図である。
【図２】この階段に用いられる蹴込板について本発明の一実施形態を示す上部断面図である。
【図３】図２の蹴込板を用いて階段を施工する際の蹴込板固定作業を示す説明図である。図中、（ａ）〜（ｄ）は工程順を示し、（ａ−１）は斜視図、（ａ−２）および（ｂ）〜（ｄ）は断面図である。
【図４】本発明の他実施形態による蹴込板の上部断面図である。
【図５】図４の蹴込板を用いた蹴込板固定作業によって得られる蹴込板の固定構造を示す断面図である。
【図６】図４の蹴込板を用いた蹴込板固定作業によって得られる蹴込板の固定構造の他例を示す断面図である。
【図７】従来技術による階段の蹴込板の固定構造において接着剤が蹴込板の表面側に溢れ出た状態を示す断面図である。
【図８】他の従来技術による階段の蹴込板の固定構造において蹴込板を踏板に固定する際の固定具の打ち込み角度がずれて踏板の表面に突き抜けた状態を示す断面図である。
【実施例１】
【００２７】
図１は本発明が適用される階段構造の一例を示す斜視図であり、一対の側板１，１間に蹴込板２および踏板３が交互に掛け渡されて構成されている。階段構造には直線型、Ｌ字型、螺旋型など各種形状のものがあるが、本発明はいずれにも適用可能である。
【００２８】
図２は本発明の一実施形態による蹴込板２の上端部形状を示すものであり、上端木口に、長手方向（施工状態において幅方向）に延長する木口側凹溝４が形成されている。木口側凹溝４の断面形状は任意であり、図示の方形状のほか、Ｕ字形やＶ字形の断面形状であっても良い。また、木口側凹溝４は、その幅中心が、蹴込板２の上端木口において厚さ方向中心と一致するように形成されることが好ましい。
【００２９】
木口側凹溝４の幅は、蹴込板２の厚さに対して１／３〜２／３程度に形成されることが好ましい。木口側凹溝４の幅が蹴込板２の厚さの２／３を超えるような幅広のものであると、木口側凹溝４の両側に残される上端突出部２１，２１が相対的に薄くなり、踏板３の裏面に形成される蹴込板嵌合溝５（後述）の溝底面５１に対する接着面積が小さくなって接着強度を低下させてしまう。また、蹴込板２の上端部を蹴込板嵌合溝５の溝底面５１に向けて押し込んだときにその衝撃で薄い上端突出部２１，２１が破損する恐れがある。一方、木口側凹溝４の幅が蹴込板２の厚さの１／３に満たないような幅狭になると、上端木口に接着剤が塗布された蹴込板２を蹴込板嵌合溝５に嵌入させたときに、木口側凹溝４に接着剤が入り込みにくくなり、その多くが蹴込板嵌合溝５から溢れ出して蹴込板上端部の表裏面２２，２３に沿って流れ落ちてしまう恐れが生じ、また、木口側凹溝４への接着剤の入り込みが不十分になることから内部に空間が生じて強固な固定構造が得られなくなる。
【００３０】
木口側凹溝４の深さは、３ｍｍ以下であり、特に好ましくは０．５〜２ｍｍである。木口側凹溝４が深すぎると、上端木口に塗布した接着剤のほとんどが木口側凹溝４の中に入り込んでしまい、蹴込板２を蹴込板嵌合溝５に嵌入させたときに接着剤が蹴込板嵌合溝４の前後内壁面にまで行き渡らなくなるため、蹴込板２と踏板３との固定が不十分になり、歩行時に非接着面同士で擦れ合って踏み鳴りを発生させる恐れがある。一方、木口側凹溝４が浅すぎると、蹴込板２の上端木口２１に接着剤を塗布したときに、接着剤が木口側凹溝４の入口の２点と接触しにくくなり、接着剤が塗布面から離れやすくなって一定量を均等に塗布することが困難になる。さらに、蹴込板嵌合溝５内に蹴込板２の上端部を嵌合した際に、接着剤が木口側凹溝４内に納まりきらず、木口側凹溝４から溢れ出してしまう恐れがある。
【００３１】
木口側凹溝４の大きさ（幅、深さ）については上記を参酌して決定する。一例として、厚さ９ｍｍの蹴込板２の場合、開口幅３ｍｍおよび深さ１ｍｍである断面長方形状の木口側凹溝４が形成される。
【００３２】
図２の蹴込板２を用いて階段を施工する際の蹴込板固定作業について、図３を参照して説明する。
【００３３】
まず、図３（ａ−１）および図３（ａ−２）に示すように、蹴込板２の上端木口に形成される木口側凹溝４に沿って接着剤６を接着剤チューブ７から押し出しながら塗布していく。接着剤６は特に限定されないが、一般にウレタン系接着剤、酢酸ビニル系接着剤などが用いられる。
【００３４】
接着剤６は木口側凹溝４に沿って塗布されるが、このとき、木口側凹溝４の両側の上端突出部２１，２１の上面には表裏面付近に接着剤非塗布部が各々１〜２ｍｍ程度残されるように塗布すると良い。このようにすることにより、施工の際に蹴込板を多少傾けても接着剤６が蹴込板２の表裏面に液だれしてくることを防ぐと共に、接着剤６の適正塗布量の目安とすることができる。これを実現するため、たとえば、断面長方形状の木口側凹溝４が蹴込板２の厚さの１／３程度の幅で形成される場合には、接着剤６が蹴込板２の厚さ中心を幅中心として該厚さの２／３程度の幅で塗布されるように、接着剤チューブ７の先端をカットしたものを使用すると良い。より具体的な例として、既述したように厚さ９ｍｍの蹴込板２の上端木口に開口幅３ｍｍで断面長方形状の木口側凹溝４が形成されている場合には、塗布される接着剤６が直径６ｍｍ程度となるように、接着剤チューブ７の先端をカットしたものを使用すると良い。
【００３５】
また、接着剤６の塗布量は、木口側凹溝４の大きさにもよるが、幅７５０〜１０００ｍｍ、厚さ５〜１５ｍｍの蹴込板２に対して１０〜３５ｇ／ｍとすると良い。本実施例では、長さ(幅)９００ｍｍ、厚さ９ｍｍの蹴込板２の場合、その上端木口に２１．７ｇ／ｍの接着剤塗布量を採用した。このように蹴込板２の上端木口に対する接着剤６の塗布面と塗布量を調節することで、適正な接着剤塗布状態が得られ、接着剤６の塗布量が多すぎることによって接着剤６が蹴込板嵌合溝５から溢れ出すことや、接着剤６の塗布量が少なすぎることによって固定強度が低下したり踏み鳴りを起こしたりする不都合を防止することができる。
【００３６】
次に、図３（ｂ）に示すように、上端木口に接着剤６が塗布された蹴込板２の上端部を、踏板３の裏面３２に形成された蹴込板嵌合溝５に嵌合させていく。なお、図示のように、蹴込板嵌合溝５は、蹴込板２の厚さより若干大きい溝幅寸法を有するように形成される。
【００３７】
そして、図３（ｃ）に示すように、蹴込板２の上端突出部２１，２１が蹴込板嵌合溝５の溝底面５１に突き当たった状態になると、蹴込板２の上端突出部２１，２１の上面に塗布されている接着剤６が押し潰され、木口側凹溝４内に隙間なく入り込むと共に、蹴込板嵌合溝５の奥部で拡がって、蹴込板２の上端突出部２１，２１を含めた上端木口全面と溝底面５１との間に行き渡るだけでなく、さらに蹴込板嵌合溝５の内部において蹴込板２の表裏両面２２，２３側にも回り込んで蹴込板嵌合溝５の前方内壁面５２および後方内壁面５３との間に入り込む。
【００３８】
この状態において、図３（ｄ）に示すように、蹴込板２を蹴込板嵌合溝５の前方内壁面５２に押し付ける。これにより、蹴込板２の表面２２側上端部が蹴込板嵌合溝５の前方内壁面５２に対してこれらの間に介在する接着剤６によって接着固定され、しかも蹴込板２の木口面（上端突出部２１，２１の上面）と蹴込板嵌合溝５の溝底面５１との間、および蹴込板２の裏面２３側上端部と蹴込板嵌合溝５の後方内壁面５３との間もそれぞれ介在する接着剤６によって接着固定されるので、蹴込板２の上端部が３面で蹴込板嵌合溝５に対して接着固定され、きわめて強固な固定構造が得られる。さらに、蹴込板２と蹴込板嵌合溝５との間にはすべて接着剤６が介在されることになり、これらが擦れ合うことがないので、歩行時に踏み鳴りを起こすことがない。万一過剰に塗布した分の接着剤６が蹴込板嵌合溝５から溢れ出すことがあっても、比較的大きな隙間が形成される後方側から蹴込板２の裏面２３側を伝って流れ落ちることとなり、この部分で接着剤が固化しても表面側からは隠れて見えないので、美観を損なうことはない。
【実施例２】
【００３９】
図４（ａ）は本発明の他実施形態による蹴込板２Ａの上端部形状を示すものであり、実施例１の蹴込板２と同様に、長手方向に延長する木口側凹溝４が上端木口に形成されていると共に、さらに、長手方向に延長する裏面側凹溝８が上端近くの裏面２３に形成されている。木口側凹溝４の構成、形状、寸法などについては実施例１と同様であり、接着剤６の塗布および固化の際にこの木口側凹溝４が発揮する作用効果などについても実施例１と同様であるので、ここでは説明を省略する。
【００４０】
裏面側凹溝８は、蹴込板２Ａの上端部が踏板裏面３２の蹴込板嵌合溝５に嵌合・固定された状態においてその上端が踏板裏面２２と略面一またはそれより若干低くなる位置に形成される。このような位置に裏面側凹溝８が形成されることにより、固定具９（図５）を打ち込む際に固定具９の先端が蹴込板嵌合溝５に入り込むことが防止され、固定具９が正しい角度に打ち込まれることになるので、従来技術による場合のように固定具９が踏板３を突き抜けてその先端が踏板表面３１から突出したり、踏板表面３１に膨れを生じさせるなどの不都合を生じさせることがなく、また、蹴込板嵌合溝５の入口の破損も防止することができる。
【００４１】
裏面側凹溝８の断面形状は固定具９の打ち込みを所定の位置と角度で行うことを可能にするものであれば特に限定されないが、好ましくは、図４（ａ）に示すような方形の断面形状や、蹴込板２Ａの裏面２３に対して略直角（上端木口２１と略平行）である上辺と該上辺の奥端から裏面２３に至る斜辺とを有する直角三角形の断面形状である（図４（ｂ））。後者の場合、斜辺の傾斜角度は固定具９の所定の打ち込み角度と略同一となるように形成することが好ましい。また、その大きさは上述の作用効果が発揮できるものであれば特に限定的ではないが、一般に溝幅については３〜１０ｍｍ程度で形成されることが好ましく、また、その深さについては、深すぎると蹴込板２Ａの強度を低下させるので一般に２ｍｍ以下、好ましくは固定具９の先端が引っ掛かってしっかりと保持される程度の深さとして０．５〜１ｍｍ程度とすると良い。一例として、本実施例では、開口幅３ｍｍ、深さ１ｍｍの断面方形状の裏面側凹溝８が、厚さ９ｍｍの蹴込板２Ａの上端から１２ｍｍ（蹴込板嵌合溝５の深さと同一）を残す位置に形成されている。
【００４２】
なお、蹴込板２ＡとしてＭＤＦを使用した場合は、蹴込板裏面２３側の硬質層を削って裏面側凹溝８を形成すると良い。ＭＤＦは、木質繊維を密にして接着剤により固化させた板状体であり、表裏面に高密度の硬質層が形成される。すなわち、ＭＤＦの平均密度は０．７〜０．９ｇ／ｃｍ３程度であるが、表裏面に０．９〜１．１ｇ／ｃｍ３程度の密度を有する硬質層が形成され、中間層は０．５５〜０．６５ｇ／ｃｍ３程度の軟質層として形成される。高密度の硬質層は固定具９の先端が入りにくいため位置決めが困難となり、また、その表面で滑りやすくなることから、ＭＤＦの硬質層を削って比較的軟質な層が溝底面に露出するように裏面側凹溝８を形成することが好ましく、このようにすれば、固定具９の打ち込みが容易となり、滑りを生ずることなく所定の位置で打ち込みを行うことができる。また、固定具９の頭部は硬質層の部分で引っ掛かることになるので、しっかり保持され、裏面側凹溝８の入口角部を破損させることもない。一般に、表面（蹴込板裏面２３）から１〜２ｍｍ程度の深さまで切り欠いて裏面側凹溝８を形成すれば、硬質層を貫通して、該裏面側凹溝８の溝底面に比較的軟質な層（０．７〜０．９ｇ／ｃｍ３程度の密度を有する層）が現れ、上記の作用効果を発揮することができる。
【００４３】
以下、図４の蹴込板２Ａを用いて図１の階段を施工する際の蹴込板固定作業について説明するが、蹴込板２Ａの上端木口に接着剤を塗布してから蹴込板２Ａの上端部を蹴込板嵌合溝５の溝底面５１に押し付けると共にその表面２２を蹴込板嵌合溝５の前方内壁面５２に押し付けて接着固定するまでの工程は、実施例１において図３を参照して既述したと同様であるので、説明を省略する。
【００４４】
このようにして接着固定した後、裏面側凹溝８から固定具９を斜め上方に向けて打ち込んで、蹴込板２Ａを踏板３に対して固定する（図５）。前述のように、裏面側凹溝８が固定具９の打ち込み箇所として作業者に明示されるので、位置ずれを生ずることがない。また、固定具９が蹴込板２Ａの裏面２３に沿って滑ることもないので、所定の角度で打ち込むことができ、固定具９が踏板３を突き抜けてその先端が踏板表面３１から突出したり、踏板表面３１に膨れを生じさせるなどの不都合を生じない。したがって、固定具９の打ち込み作業を正確且つ容易に行うことができる。
【００４５】
このようにして得られる蹴込板２Ａの固定構造においては、実施例１において既述したように、蹴込板２Ａの上端部が蹴込板嵌合溝５に対して３面で接着固定されることに加えて、所定位置から所定角度で打ち込まれる固定具９によって蹴込板２Ａが踏板３に対して固定されることになるので、きわめて強固な固定構造が得られ、歩行時の踏み鳴りも防止される。
【００４６】
なお、実施例１において既述したように、接着剤６は蹴込板嵌合溝５から溢れ出ないように塗布量を調節して蹴込板２Ａの上端木口に塗布されるのが原則であり、したがって、裏面側凹部８が接着剤６で塞がれることがないので、上述したように固定具９の打ち込み作業を正確且つ容易に行うことができる効果が発揮される。一方、固定具９の打ち込みによって蹴込板２Ａの上端木口２１および表面２２が蹴込板嵌合溝５の溝底面５１および前方内壁面５２にそれぞれ圧接したときに、接着剤６が蹴込板嵌合溝５の後方から溢れ出して蹴込板２Ａの裏面２３を伝って流れ落ちることも起こり得るが、この場合は、その接着剤６を裏面側凹溝８に入り込ませてそれ以上の流下を防止すると共に、裏面側凹溝８内で硬化した接着剤が固定具９の頭部をしっかり保持固定する役割を果たすことになるので、さらに強固で安定した固定構造が得られる（図６）。この場合も、固定具９を打ち込む時点では裏面側凹部８が接着剤６で塞がれていないので、固定具９の打ち込み作業を正確且つ容易に行うことができる効果が損なわれることはない。
【符号の説明】
【００４７】
１  側板
２，２Ａ  蹴込板
２１  上端突出部ないし上端木口
２２  表面
２３  裏面
３  踏板
３１  表面
３２  裏面
４  木口側凹溝
５  蹴込板嵌合溝
５１  溝底面
５２  前方内壁面
５３  後方内壁面
６  接着剤
７  接着剤チューブ
８  裏面側凹溝
９  固定具
【図１】
2012188844.tif 000003
【図２】
2012188844.tif 000004
【図３】
2012188844.tif 000005
【図４】
2012188844.tif 000006
【図５】
2012188844.tif 000007
【図６】
2012188844.tif 000008
【図７】
2012188844.tif 000009
【図８】
2012188844.tif 000010